(57)【特許請求の範囲】
【請求項１】
各々ＯＣ（Ｏｐｔｉｃａｌ  Ｃａｒｒｉｅｒ−ｌｅｖｅｌ）−３／ＳＴＭ（Ｓｙｎｃｈｒｏｎｏｕｓ  Ｔｒａｎｓｐｏｒｔ  Ｍｏｄｕｌｅ）−１信号を伝送する複数の光伝送路に対応して設けられ電気信号を光信号に変換して対応する前記光伝送路に送出する電気光変換手段と、ＯＣ−１２／ＳＴＭ−４信号を伝送する光伝送路に対応して設けられ入力される電気信号に対してパラレル−シリアル変換をなした後に光信号に変換してこの光伝送路に送出する４：１パラレルシリアル変換部＋ＯＣ−１２／ＳＴＭ−４電気・光変換部とを有する光送信装置であって、前記電気光変換手段及び前記４：１パラレルシリアル変換部＋ＯＣ−１２／ＳＴＭ−４電気・光変換部の各々は独立して脱着可能に設けられ、前記４：１パラレルシリアル変換部＋ＯＣ−１２／ＳＴＭ−４電気・光変換部の形状を前記電気光変換手段の４個分の形状と同一にしたことを特徴とする光送信装置。
【請求項２】
前記光伝送路の各々は二重化構成であり、前記電気光変換手段及び４：１パラレルシリアル変換部＋ＯＣ−１２／ＳＴＭ−４電気・光変換部の各々はこの二重化された光伝送路に夫々対応して二重化構成とされており、これら二重化構成の電気光変換手段及び４：１パラレルシリアル変換部＋ＯＣ−１２／ＳＴＭ−４電気・光変換部の各々は独立して脱着可能に設けられていることを特徴とする請求項１記載の光送信装置。
【請求項３】
前記電気光変換手段は、ＳＤＨ（Ｓｙｎｃｈｒｏｎｏｕｓ  Ｄｉｇｉｔｌ  Ｈｉｅｒａｒｃｈｙ）／ＳＯＮＥＴ（Ｓｙｎｃｈｒｏｎｏｕｓ  Ｏｐｔｉｃａｌ  Ｎｅｔｗｏｒｋ）電気光変換器であることを特徴とする請求項１または２記載の光送信装置。
【請求項４】
各々ＯＣ（Ｏｐｔｉｃａｌ  Ｃａｒｒｉｅｒ−ｌｅｖｅｌ）−３／ＳＴＭ（Ｓｙｎｃｈｒｏｎｏｕｓ  Ｔｒａｎｓｐｏｒｔ  Ｍｏｄｕｌｅ）−１信号を伝送する複数の光伝送路に対応して設けられ光信号を対応する前記光伝送路から受信して電気信号に変換する光電気変換手段と、ＯＣ−１２／ＳＴＭ−４信号を伝送する光伝送路に対応して設けられこの光伝送路から受信される光信号を電気信号に変換した後にシリアル−パラレル変換をなすＯＣ−１２／ＳＴＭ−４光・電気変換部＋１：４シリアルパラレル変換部とを有する光受信装置であって、前記光電気変換手段及び前記ＯＣ−１２／ＳＴＭ−４光・電気変換部＋１：４シリアルパラレル変換部の各々は独立して脱着可能に設けられ、前記ＯＣ−１２／ＳＴＭ−４光・電気変換部＋１：４シリアルパラレル変換部の形状を前記光電気変換手段の４個分の形状と同一にしたことを特徴とする光受信装置。
【請求項５】
前記光伝送路の各々は二重化構成であり、前記光電気変換手段及びＯＣ−１２／ＳＴＭ−４光・電気変換部＋１：４シリアルパラレル変換部の各々はこの二重化された光伝送路に夫々対応して二重化構成とされており、これら二重化構成の光電気変換手段及びＯＣ−１２／ＳＴＭ−４光・電気変換部＋１：４シリアルパラレル変換部の各々は独立して脱着可能に設けられていることを特徴とする請求項４記載の光受信装置。
【請求項６】
前記光電気変換手段は、ＳＤＨ／ＳＯＮＥＴ光電気変換器であることを特徴とする請求項４または５記載の光受信装置。
【請求項７】
各々ＯＣ（Ｏｐｔｉｃａｌ  Ｃａｒｒｉｅｒ−ｌｅｖｅｌ）−３／ＳＴＭ（Ｓｙｎｃｈｒｏｎｏｕｓ  Ｔｒａｎｓｐｏｒｔ  Ｍｏｄｕｌｅ）−１信号を伝送する複数の光伝送路に対応して設けられ電気信号を光信号に変換して対応する前記光伝送路に送出する電気光変換手段と、ＯＣ−１２／ＳＴＭ−４信号を伝送する光伝送路に対応して設けられ入力される電気信号に対してパラレル−シリアル変換をなした後に光信号に変換してこの光伝送路に送出する４：１パラレルシリアル変換部＋ＯＣ−１２／ＳＴＭ−４電気・光変換部とを有する光送信装置と、
前記複数の光伝送路に対応して設けられ前記光信号を対応する前記光伝送路から受信して電気信号に変換する光電気変換手段と、ＯＣ−１２／ＳＴＭ−４信号を伝送する前記光伝送路に対応して設けられこの光伝送路から受信される光信号を電気信号に変換した後にシリアル−パラレル変換をなすＯＣ−１２／ＳＴＭ−４光・電気変換部＋１：４シリアルパラレル変換部とを有する光受信装置と、
前記光伝送路を介して接続される前記光送信装置と前記光受信装置とを含む光伝送システムであって、
前記光送信装置において、前記電気光変換手段及び前記４：１パラレルシリアル変換部＋ＯＣ−１２／ＳＴＭ−４電気・光変換部の各々は独立して脱着可能に設けられ、前記光受信装置において、前記光電気変換手段及び前記ＯＣ−１２／ＳＴＭ−４光・電気変換部＋１：４シリアルパラレル変換部の各々は独立して脱着可能に設けられ、前記４：１パラレルシリアル変換部＋ＯＣ−１２／ＳＴＭ−４電気・光変換部の形状を前記電気光変換手段の４個分の形状と同一にし、前記ＯＣ−１２／ＳＴＭ−４光・電気変換部＋１：４シリアルパラレル変換部の形状を前記光電気変換手段の４個分の形状と同一にしたことを特徴とする光伝送システム。
【請求項８】
前記光伝送路の各々は二重化構成であり、前記電気光変換手段及び４：１パラレルシリアル変換部＋ＯＣ−１２／ＳＴＭ−４電気・光変換部の各々はこの二重化された光伝送路に夫々対応して二重化構成とされており、前記光電気変換手段及びＯＣ−１２／ＳＴＭ−４光・電気変換部＋１：４シリアルパラレル変換部の各々はこの二重化された光伝送路に夫々対応して二重化構成とされており、
これら二重化構成の電気光変換手段及び４：１パラレルシリアル変換部＋ＯＣ−１２／ＳＴＭ−４電気・光変換部の各々は独立して脱着可能に設けられ、
これら二重化構成の光電気変換手段及びＯＣ−１２／ＳＴＭ−４光・電気変換部＋１：４シリアルパラレル変換部の各々は独立して脱着可能に設けられていることを特徴とする請求項７記載の光伝送システム。
【請求項９】
前記電気光変換手段は、ＳＤＨ／ＳＯＮＥＴ電気光変換器であり、前記光電気変換手段は、ＳＤＨ／ＳＯＮＥＴ光電気変換器であることを特徴とする請求項７または８記載の光伝送システム。
【発明の詳細な説明】
【０００１】
【発明の属する技術分野】
本発明は光送信装置、光受信装置及びこれらを用いた光伝送システムに関するものであり、特に光送信装置、光受信装置、及びこれらが光伝送路を介して接続される光伝送システムに関するものである。
【０００２】
【従来の技術】
従来の伝送路においては、１つの伝送路を用いて１チャンネルの信号を伝送していたが、伝送路を２つ設け、一方を現用系、他方を予備系とし、通常は現用系の伝送路を用いて送受信を行うが、現用系に何らかの障害が発生した場合、予備系に切り替えることにより現用系において発生した障害から復旧する形態を採っている。このような構成を二重化構成といい、この二重化構成により障害を回避するシステムを保護（プロテクション）システムという。
【０００３】
一般的に、光伝送システムにおいては、光伝送路や光送受信装置で発生する障害に対応するため、この二重化構成が採用されており、最良の回線品質を有する系路を選択するよう構築されている。また、光伝送路における保護システムを構成する光送受信装置においては、従来、光信号の各チャンネル毎に夫々異なる個別のカードが設けられており、このカード毎に個別の光伝送路が設定されていた。この従来の１チャンネルカード光伝送システムの構成を図４に示す。
【０００４】
図４において、２Ａ−１，…，２Ａ−ｎ、及び２Ｂ−１，…，２Ｂ−ｎは監視情報付加部、３Ａ−１，…，３Ａ−ｎ、及び３Ｂ−１，…，３Ｂ−ｎは電気・光変換部であり、監視情報付加部２Ａ−１，…，２Ａ−ｎと電気・光変換部３Ａ−１，…，３Ａ−ｎとで１チャンネル光送信カード５Ａ−１，…，５Ａ−ｎを、監視情報付加部２Ｂ−１，…，２Ｂ−ｎと電気・光変換部３Ｂ−１，…，３Ｂ−ｎとで１チャンネル光送信カード５Ｂ−１，…，５Ｂ−ｎを夫々構成している。また、１−１，…，１−ｎは分岐部であり、１チャンネル光送信カード５Ａ−１，…，５Ａ−ｎ、及び５Ｂ−１，…，５Ｂ−ｎと分岐部１−１，…，１−ｎとで光送信装置６を構成している。
【０００５】
一方、９Ａ−１，…，９Ａ−ｎ、及び９Ｂ−１，…，９Ｂ−ｎは光・電気変換部、１１Ａ−１，…，１１Ａ−ｎ、及び１１Ｂ−１，…，１１Ｂ−ｎは伝送路品質監視部であり、光・電気変換部９Ａ−１，…，９Ａ−ｎと伝送路品質監視部１１Ａ−１，…，１１Ａ−ｎとで１チャンネル光受信カード１２Ａ−１，…，１２Ａ−ｎを、光・電気変換部９Ｂ−１，…，９Ｂ−ｎと伝送路品質監視部１１Ｂ−１，…，１１Ｂ−ｎとで１チャンネル光受信カード１２Ｂ−１，…，１２Ｂ−ｎを構成している。また、１３−１，…，１３−ｎはセレクタ部であり、１チャンネル光受信カード１２Ａ−１，…，１２Ａ−ｎ、及び１２Ｂ−１，…，１２Ｂ−ｎとセレクタ部１３−１，…，１３−ｎとで光受信装置１７を構成している。
【０００６】
更に、７−１，…，７−ｎ、及び８−１，…，８−ｎは光伝送路であり、光送信装置６、及び光受信装置１７はこれ等光伝送路７−１，…，７−ｎ、及び８−１，…，８−ｎを介して接続されている。なお、分岐部１−１，…，１−ｎ、１チャンネル光送信カード５Ａ−１，…，５Ａ−ｎ、及び５Ｂ−１，…，５Ｂ−ｎ、１チャンネル光受信カード１２Ａ−１，…，１２Ａ−ｎ、及び１２Ｂ−１，…，１２Ｂ−ｎ、セレクタ部１３−１，…，１３−ｎは夫々多重化されている信号のチャンネル数（ｎ個）設けられているものとする。
【０００７】
次に、図４における１チャンネルカード光伝送システムの動作について簡単に説明する。まず、光送信装置６では、分岐部１−１，…，１−ｎは光伝送路に送信する信号を夫々ＡとＢとに二分岐し、一方は１チャンネル光送信カード５Ａ−１，…，５Ａ−ｎに、他方は１チャンネル光送信カード５Ｂ−１，…，５Ｂ−ｎに渡す。１チャンネル光送信カード５Ａ−１，…，５Ａ−ｎ内の監視情報付加部２Ａ−１，…，２Ａ−ｎでは、ｎ本の電気信号に夫々誤り監視情報を付加し、ｎ個の電気・光変換部３Ａ−１，…，３Ａ−ｎに渡す。電気・光変換部３Ａ−１，…，３Ａ−ｎは、電気信号を光信号に変換し、ｎ本の光伝送路７−１，…，７−ｎに夫々送信する。１チャンネル光送信カード５Ｂ−１，…，５Ｂ−ｎも同様の動作をする。
【０００８】
一方、光受信装置１７では、１チャンネル光受信カード１２Ａ−１，…，１２Ａ−ｎでｎ本の光伝送路７−１，…，７−ｎから光信号を受信し、ｎ個の光・電気変換部９Ａ−１，…，９Ａ−ｎで電気信号に変換し、伝送路品質監視部１１Ａ−１，…，１１Ａ−ｎに渡す。伝送路品質監視部１１Ａ−１，…，１１Ａ−ｎでは、監視情報付加部２Ａ−１，…，２Ａ−ｎで付加された誤り監視情報を読み取り、ｎ本夫々における電気信号の品質をチェックする。１チャンネル光受信カード１２Ｂ−１，…，１２Ｂ−ｎも同様の動作をする。セレクタ部１３−１，…，１３−ｎでは、伝送路品質監視部１１Ａ−１，…，１１Ａ−ｎ、及び１１Ｂ−１，…，１１Ｂ−ｎにおける監視結果を基に、各チャンネル毎にＡとＢとの何れか品質の良い経路の信号を選択する。ｎ個のセレクタ部１３−１，…，１３−ｎの選択動作は、伝送路品質監視部１１Ａ−１，…，１１Ａ−ｎ、及び１１Ｂ−１，…，１１Ｂ−ｎ内の結果判定部（図示せず）からの信号に基づき制御部（図示せず）により個々に制御される様構成されている。
【０００９】
上記の構成により、あるチャンネルの電気・光変換部あるいは光・電気変換部に障害が発生した場合、当該チャンネルの光伝送路の経路をＡまたはＢの何れかに切り替えることで回線は維持され発生した障害から即座に復旧する。そして、その間に障害の発生した電気・光変換部あるいは光・電気変換部を内蔵する１チャンネル光送信カードあるいは１チャンネル光受信カードを交換することで二重化構成による保護がなされていた。
【００１０】
また、近年、多チャンネルを１つのカードに集積するような提案がなされている。図５にこの多チャンネルカード光伝送システムの構成を示す。図５において、２−１，２−２は監視情報付加部、３−１，…，３−ｎ、及び４−１，…，４−ｎは電気・光変換部であり、監視情報付加部２−１と電気・光変換部３−１，…，３−ｎとで多チャンネル光送信カード５−１を、監視情報付加部２−２と電気・光変換部４−１，…，４−ｎとで多チャンネル光送信カード５−２を夫々構成している。
【００１１】
一方、９−１，…，９−ｎ、及び１０−１，…，１０−ｎは光・電気変換部、１１−１，１１−２は伝送路品質監視部であり、光・電気変換部９−１，…，９−ｎと伝送路品質監視部１１−１とで多チャンネル光受信カード１２−１を、光・電気変換部１０−１，…，１０−ｎと伝送路品質監視部１１−２とで多チャンネル光受信カード１２−２を構成している。すなわち、図４の１チャンネルカード光伝送システムと異なる部分は、光送信装置６及び光受信装置１７において、多重化信号のチャンネル数（ｎ個）に対して１つの多チャンネル光送信カード及び多チャンネル光受信カードが設けられている点であり、それ以外の図４と同等部分については同一符号で示している。
【００１２】
次に、図５における多チャンネルカード光伝送システムの動作について簡単に説明する。まず、光送信装置６では、分岐部１−１，…，１−ｎは光伝送路に送信する信号を夫々ＡとＢとに二分岐し、一方は多チャンネル光送信カード５−１に、他方は多チャンネル光送信カード５−２に渡す。多チャンネル光送信カード５−１内の監視情報付加部２−１では、ｎ本の電気信号に夫々誤り監視情報を付加し、ｎ個の電気・光変換部３−１，…，３−ｎに渡す。電気・光変換部３−１，…，３−ｎは、電気信号を光信号に変換し、ｎ本の光伝送路７−１，…，７−ｎに夫々送信する。多チャンネル光送信カード５−２も同様の動作をする。
【００１３】
一方、光受信装置１４では、多チャンネル光受信カード１２−１でｎ本の光伝送路７から光信号を受信し、ｎ個の光・電気変換部９−１，…，９−ｎで電気信号に変換し、伝送路品質監視部１１−１に渡す。伝送路品質監視部１１−１では、監視情報付加部２−１で付加された誤り監視情報を読み取り、ｎ本夫々における電気信号の品質をチェックする。多チャンネル光受信カード１２−２も同様の動作をする。セレクタ部１３−１，…，１３−ｎでは、伝送路品質監視１１−１，１１−２における監視結果を基に、各チャンネル毎にＡとＢとの何れか品質の良い経路の信号を選択する。ｎ個のセレクタ部１３−１，…，１３−ｎの選択動作は、伝送路品質監視部１１−１，１１−２内の結果判定部（図示せず）からの信号に基づき制御部（図示せず）により個々に制御される様構成されている。
【００１４】
【発明が解決しようとする課題】
しかしながら、上述した図４の場合における１チャンネルカード光伝送システムでは、光信号の各チャンネル毎に夫々異なる光送受信カードが個別に設けられているため、多重化されるチャンネル数の増加に伴い光送受信カードの数も増していくため、光送受信装置全体の小型化が図ることができないという問題があった。
【００１５】
一方、上記図５の場合における多チャンネルカード光伝送システムでは、あるチャンネルの電気・光変換部あるいは光・電気変換部に障害が発生した場合、当該チャンネルの光伝送路の経路をＡまたはＢの何れかに切り替えることで回線は維持され発生した障害から即座に復旧することができる。
【００１６】
しかしながら、多チャンネル光送信カードあるいは多チャンネル光受信カードにおいて、電気光変換部あるいは光電気変換部は、各光伝送路毎に独立して脱着できる構造はとられていないため、障害が発生した多チャンネル光送受信カード毎に交換する必要があった。よって、障害が発生した光伝送路に該当するチャンネルの電気・光変換部あるいは光・電気変換部を修理するためには、当該チャンネル以外の正常動作している他のチャンネルの動作を停止させ、障害が発生した電気・光変換部あるいは光・電気変換部を含む多チャンネル光送受信カードそのものを交換しなければならないという問題があった。
【００１７】
そこで、本発明はかかる従来技術の問題点を解決すべくなされたものであって、その目的とするところは、多チャンネル光送受信カード内において、電気・光変換部あるいは光・電気変換部を光伝送路毎に独立して脱着可能な構成にすることで、障害の発生していない他の光伝送路の動作に影響を与えずに障害からの復旧を可能にする優れた保守性を有する光送信装置、光受信装置及びこれらを用いた光伝送システムを提供することにある。
【００１８】
【課題を解決するための手段】
本発明によれば、各々ＯＣ（Ｏｐｔｉｃａｌ  Ｃａｒｒｉｅｒ−ｌｅｖｅｌ）−３／ＳＴＭ（Ｓｙｎｃｈｒｏｎｏｕｓ  Ｔｒａｎｓｐｏｒｔ  Ｍｏｄｕｌｅ）−１信号を伝送する複数の光伝送路に対応して設けられ電気信号を光信号に変換して対応する前記光伝送路に送出する電気光変換手段と、ＯＣ−１２／ＳＴＭ−４信号を伝送する光伝送路に対応して設けられ入力される電気信号に対してパラレル−シリアル変換をなした後に光信号に変換してこの光伝送路に送出する４：１パラレルシリアル変換部＋ＯＣ−１２／ＳＴＭ−４電気・光変換部とを有する光送信装置であって、前記電気光変換手段及び前記４：１パラレルシリアル変換部＋ＯＣ−１２／ＳＴＭ−４電気・光変換部の各々は独立して脱着可能に設けられ、前記４：１パラレルシリアル変換部＋ＯＣ−１２／ＳＴＭ−４電気・光変換部の形状を前記電気光変換手段の４個分の形状と同一にしたことを特徴とする光送信装置が得られる。
【００１９】
また、前記光伝送路の各々は二重化構成であり、前記電気光変換手段及び４：１パラレルシリアル変換部＋ＯＣ−１２／ＳＴＭ−４電気・光変換部の各々はこの二重化された光伝送路に夫々対応して二重化構成とされており、これら二重化構成の電気光変換手段及び４：１パラレルシリアル変換部＋ＯＣ−１２／ＳＴＭ−４電気・光変換部の各々は独立して脱着可能に設けられていることを特徴とする。
【００２０】
そして、前記電気光変換手段は、ＳＤＨ（Ｓｙｎｃｈｒｏｎｏｕｓ  Ｄｉｇｉｔｌ  Ｈｉｅｒａｒｃｈｙ）／ＳＯＮＥＴ（Ｓｙｎｃｈｒｏｎｏｕｓ  Ｏｐｔｉｃａｌ  Ｎｅｔｗｏｒｋ）電気光変換器であることを特徴とする。
【００２１】
また、本発明によれば、各々ＯＣ（Ｏｐｔｉｃａｌ  Ｃａｒｒｉｅｒ−ｌｅｖｅｌ）−３／ＳＴＭ（Ｓｙｎｃｈｒｏｎｏｕｓ  Ｔｒａｎｓｐｏｒｔ  Ｍｏｄｕｌｅ）−１信号を伝送する複数の光伝送路に対応して設けられ光信号を対応する前記光伝送路から受信して電気信号に変換する光電気変換手段と、ＯＣ−１２／ＳＴＭ−４信号を伝送する光伝送路に対応して設けられこの光伝送路から受信される光信号を電気信号に変換した後にシリアル−パラレル変換をなすＯＣ−１２／ＳＴＭ−４光・電気変換部＋１：４シリアルパラレル変換部とを有する光受信装置であって、前記光電気変換手段及び前記ＯＣ−１２／ＳＴＭ−４光・電気変換部＋１：４シリアルパラレル変換部の各々は独立して脱着可能に設けられ、前記ＯＣ−１２／ＳＴＭ−４光・電気変換部＋１：４シリアルパラレル変換部の形状を前記光電気変換手段の４個分の形状と同一にしたことを特徴とする光受信装置が得られる。
【００２２】
そして、前記光伝送路の各々は二重化構成であり、前記光電気変換手段及びＯＣ−１２／ＳＴＭ−４光・電気変換部＋１：４シリアルパラレル変換部の各々はこの二重化された光伝送路に夫々対応して二重化構成とされており、これら二重化構成の光電気変換手段及びＯＣ−１２／ＳＴＭ−４光・電気変換部＋１：４シリアルパラレル変換部の各々は独立して脱着可能に設けられていることを特徴とする。
【００２３】
また、前記光電気変換手段は、ＳＤＨ／ＳＯＮＥＴ光電気変換器であることを特徴とする。
【００２４】
更に、本発明によれば、各々ＯＣ（Ｏｐｔｉｃａｌ  Ｃａｒｒｉｅｒ−ｌｅｖｅｌ）−３／ＳＴＭ（Ｓｙｎｃｈｒｏｎｏｕｓ  Ｔｒａｎｓｐｏｒｔ  Ｍｏｄｕｌｅ）−１信号を伝送する複数の光伝送路に対応して設けられ電気信号を光信号に変換して対応する前記光伝送路に送出する電気光変換手段と、ＯＣ−１２／ＳＴＭ−４信号を伝送する光伝送路に対応して設けられ入力される電気信号に対してパラレル−シリアル変換をなした後に光信号に変換してこの光伝送路に送出する４：１パラレルシリアル変換部＋ＯＣ−１２／ＳＴＭ−４電気・光変換部とを有する光送信装置と、前記複数の光伝送路に対応して設けられ前記光信号を対応する前記光伝送路から受信して電気信号に変換する光電気変換手段と、ＯＣ−１２／ＳＴＭ−４信号を伝送する前記光伝送路に対応して設けられこの光伝送路から受信される光信号を電気信号に変換した後にシリアル−パラレル変換をなすＯＣ−１２／ＳＴＭ−４光・電気変換部＋１：４シリアルパラレル変換部とを有する光受信装置と、前記光伝送路を介して接続される前記光送信装置と前記光受信装置とを含む光伝送システムであって、前記光送信装置において、前記電気光変換手段及び前記４：１パラレルシリアル変換部＋ＯＣ−１２／ＳＴＭ−４電気・光変換部の各々は独立して脱着可能に設けられ、前記光受信装置において、前記光電気変換手段及び前記ＯＣ−１２／ＳＴＭ−４光・電気変換部＋１：４シリアルパラレル変換部の各々は独立して脱着可能に設けられ、前記４：１パラレルシリアル変換部＋ＯＣ−１２／ＳＴＭ−４電気・光変換部の形状を前記電気光変換手段の４個分の形状と同一にし、前記ＯＣ−１２／ＳＴＭ−４光・電気変換部＋１：４シリアルパラレル変換部の形状を前記光電気変換手段の４個分の形状と同一にしたことを特徴とする光伝送システムが得られる。
【００２５】
そして、前記光伝送路の各々は二重化構成であり、前記電気光変換手段及び４：１パラレルシリアル変換部＋ＯＣ−１２／ＳＴＭ−４電気・光変換部の各々はこの二重化された光伝送路に夫々対応して二重化構成とされており、前記光電気変換手段及びＯＣ−１２／ＳＴＭ−４光・電気変換部＋１：４シリアルパラレル変換部の各々はこの二重化された光伝送路に夫々対応して二重化構成とされており、これら二重化構成の電気光変換手段及び４：１パラレルシリアル変換部＋ＯＣ−１２／ＳＴＭ−４電気・光変換部の各々は独立して脱着可能に設けられ、これら二重化構成の光電気変換手段及びＯＣ−１２／ＳＴＭ−４光・電気変換部＋１：４シリアルパラレル変換部の各々は独立して脱着可能に設けられていることを特徴とする。
【００２６】
また、前記電気光変換手段は、ＳＤＨ／ＳＯＮＥＴ電気光変換器であり、前記光電気変換手段は、ＳＤＨ／ＳＯＮＥＴ光電気変換器であることを特徴とする。
【００２７】
本発明の作用を述べる。二重化構成により二系統に分岐された電気信号には夫々誤り監視情報が付加され、各光伝送路毎に独立して物理的に脱着可能に設けられた電気光変換部において光信号に変換された後、光受信装置へ送出される。光受信装置では、各光伝送路毎に独立して脱着可能に設けられた光電気変換部において電気信号に変換後、予め付加された誤り監視情報に基づき各光伝送路毎の信号品質がチェックされ、その結果により各光伝送路毎に最適な系統の電気信号が選択される。これにより、何れかの電気光変換部あるいは光電気変換部において障害が発生した場合でも、二重化構成により当該光伝送路の回線が維持されると共に、他の正常な光伝送路の動作を停止することなく、障害が発生した電気光変換部あるいは光電気変換部の交換が可能となる。
【００２８】
【発明の実施の形態】
以下に、添付図面を参照しつつ本発明の実施の形態について説明する。図１は本発明の実施の一形態における多チャンネル光送受信カードで構成された光伝送システムの構成を示すブロック図である。図１において、本発明における保護装置は、基本的には図５における多チャンネルカード光伝送システムの場合と同様の構成であるが、電気・光変換部３−１，…，３−ｎ，４−１，…，４−ｎ、及び光・電気変換部９−１，…，９−ｎ，１０−１，…，１０−ｎは各光伝送路７−１，…，７−ｎ、及び８−１，…，８−ｎ毎に独立して脱着可能な状態で設けられている。
【００２９】
すなわち、多チャンネル光送信カード５−１，５−２や多チャンネル光受信カード１２−１，１２−２内において、これらカードに対して電気・光変換部３−１，…，３−ｎ，４−１，…，４−ｎや光・電気変換部９−１，…，９−ｎ，１０−１，…，１０−ｎが物理的に脱着自在な構造となっているものとする。
【００３０】
また、監視情報付加部２−１，２−２には各チャンネル毎に電気信号に対してＳＤＨ／ＳＯＮＥＴで規格されたフレームバイト固定値とパリティ演算結果からなる監視情報を付加するフレームバイト固定値・パリティ演算結果付加部１８−１，…，１８−ｎ、及び１９−１，…，１９−ｎが夫々内蔵されている。
【００３１】
そして、伝送品質監視部１１−１，１１−２には各チャンネル毎の光信号におけるＳＤＨ／ＳＯＮＥＴで規格されたフレームバイトチェックとパリティチェックを行うフレームバイト・パリティチェック実行結果判定部１４−１，…，１４−ｎ、及び１５−１，…，１５−ｎが夫々内蔵されている。
【００３２】
更に、フレームバイト・パリティチェック実行結果判定部１４−１，…，１４−ｎ、及び１５−１，…，１５−ｎから得られる判定結果を基にセレクタ部１３−１，…，１３−ｎに対してＡ，Ｂ何れの経路を選択するかの指示を与える制御部１６を有している。なお、これ以外の図５と同等部分については同一符号で示している。
【００３３】
次に、本発明の実施の一形態における多チャンネル光送受信カードで構成された光伝送システムの動作について図１を参照しながら説明する。なお、基本的な動作は上述した図５の場合における多チャンネルカード光伝送システムと同等であるため、重複する説明は省略する。図１において、光送信装置６に入力された電気信号は分岐部１−１によりＡとＢとに分岐（二重化）された後、夫々光伝送路７−１，８−１に送出され光受信装置１７で受信される。光受信装置１７の多チャンネル光受信カード１２−１，１２−２では、伝送路品質監視部１１−１，１１−２内のフレームバイト・パリティチェック実行結果判定部１４−１，１５−１において夫々電気信号のフレームバイトチェックとパリティチェックがなされ、共に正常な場合は完全に二重化がなされていることになる。
【００３４】
この状態では、制御部１６はセレクタ部１３−１に対してＡ，Ｂ何れの経路の電気信号を選択するよう指示しても構わないが、Ａ側の経路の電気信号を選択するよう指示したとする。また、光送信装置６の分岐部１−２，…，１−ｎに入力される電気信号も同様に動作し、セレクタ部１３−２，…，１３−ｎにおいて全てＡ側の電気信号が選択されているものと仮定する。
【００３５】
ここで、例えば電気・光変換部３−１において障害が発生したため伝送路品質監視部１１−１内のフレームバイト・パリティチェック実行結果判定部１４−１の判定結果が異常値となり、制御部１６はセレクタ部１３−１に対してＢ側の経路の電気信号を選択するよう指示する。この結果、二重化構成がなされているため回線は即座に維持されることになる。一方、他の電気・光変換部３−２，…，３−ｎにおいて障害は発生していないため、セレクタ部１３−２，…，１３−ｎではＡ側の電気信号を選択した状態が維持されている。
【００３６】
しかしながら、光送信装置６の分岐部１−１に入力される電気信号については二重化が保たれていない状態となるため、電気・光変換部３−１のみを修理する必要がある。ここで、上述したように電気・光変換部３−１は光伝送路７−１，…，７−ｎ毎に完全に独立して脱着可能な状態で設けられているため、障害の発生していない他の電気・光変換部３−２，…，３−ｎにおける信号伝送を停止することなく障害の発生した電気・光変換部３−１のみを交換することができる。
【００３７】
電気・光変換部３−１における障害が復旧すると、伝送路品質監視部１１−１内のフレームバイト・パリティチェック実行結果判定部１４−１の判定結果は正常値となるため、制御部１６はセレクタ部１３−１に対してＡ，Ｂ何れの経路の電気信号を選択しても構わない旨指示することができる。これにより、光送信装置６の分岐部１−１に入力される電気信号についても再度二重化が保たれることになる。
【００３８】
次に、本発明の他の実施の形態について説明する。図２、及び図３は、本発明の他の実施の形態における異なる伝送速度を有する多チャンネル光送受信カードで構成された光送信装置、及び光受信装置の構成を示すブロック図である。図２、及び図３において、その基本的な構成は上述した図１における多チャンネル送受信カードで構成された光伝送システムの光送信装置、及び光受信装置と同様であるが、多チャンネル光送受信カード上に異なる伝送速度を有する光信号を処理する機能を設けている。具体的には、ＯＣ（Ｏｐｔｉｃａｌ  Ｃａｒｒｉｅｒ−ｌｅｖｅｌ）−１２／ＳＴＭ（Ｓｙｎｃｈｒｏｎｏｕｓ  Ｔｒａｎｓｐｏｒｔ  Ｍｏｄｕｌｅ）−４信号１本と、ＯＣ−３／ＳＴＭ−１信号４本とを８チャンネル光送受信カードで処理している。
【００３９】
図２において、２１−１，２１−２は監視情報付加部、２２，２４は４：１パラレルシリアル変換部＋ＯＣ−１２／ＳＴＭ−４電気・光変換部、２３−１〜２３−４、及び２５−１〜２５−４は、ＯＣ−３／ＳＴＭ−１電気・光変換部であり、監視情報付加部２１−１と４：１パラレルシリアル変換部＋ＯＣ−１２／ＳＴＭ−４電気・光変換部２２とＯＣ−３／ＳＴＭ−１電気・光変換部２３−１〜２３−４とで８チャンネル光送信カード２６−１を、監視情報付加部２１−２と４：１パラレルシリアル変換部＋ＯＣ−１２／ＳＴＭ−４電気・光変換部２４とＯＣ−３／ＳＴＭ−１電気・光変換部２５−１〜２５−４とで８チャンネル光送信カード２６−２を夫々構成している。また、２０−１〜２０−８は分岐部であり、８チャンネル光送信カード２６−１，２６−２と分岐部２０−１〜２０−８とで光送信装置２７を構成している。
【００４０】
一方、図３において、３０，３２はＯＣ−１２／ＳＴＭ−４光・電気変換部＋１：４シリアルパラレル変換部、３１−１〜３１−４、及び３３−１〜３３−４は、ＯＣ−３／ＳＴＭ−１光・電気変換部、３４−１，３４−２は伝送路品質監視部であり、ＯＣ−１２／ＳＴＭ−４光・電気変換部＋１：４シリアルパラレル変換部３０とＯＣ−３／ＳＴＭ−１光・電気変換部３１−１〜３１−４と伝送路品質監視部３４−１とで８チャンネル光受信カード３５−１を、ＯＣ−１２／ＳＴＭ−４光・電気変換部＋１：４シリアルパラレル変換部３２とＯＣ−３／ＳＴＭ−１光・電気変換部３３−１〜３３−４と伝送路品質監視部３４−２とで８チャンネル光受信カード３５−２を夫々構成している。また、３６−１〜３６−８はセレクタ部であり、８チャンネル光受信カード３５−１，３５−２とセレクタ部３６−１〜３６−８とで光受信装置３７を構成している。
【００４１】
更に、２８−１，２９−１はＯＣ−１２／ＳＴＭ−４光伝送路、２８−２〜２８−５，及び２９−２〜２９−５はＯＣ−３／ＳＴＭ−１光伝送路であり、光送信装置２７、及び光受信装置３７はこれ等光伝送路２８−１〜２８−５，及び２９−１〜２９−５を介して接続されている。なお、分岐部２０−１〜２０−８、セレクタ部３６−１〜３６−８は夫々多重化されている信号のチャンネル数（８個）設けられているものとする。
【００４２】
次に、本発明の他の実施の形態における異なる伝送速度を有する多チャンネル光送受信カードで構成された光送信装置、及び光受信装置の動作について図２、図３を参照しながら説明する。なお、基本的な動作は上述した図１の本発明の実施の一形態における多チャンネル光送受信カードで構成された光伝送システムと同等であるため、重複する説明は省略する。
【００４３】
図２において、光送信装置２７に入力された電気信号は分岐部２０−１〜２０−８によりＡとＢとに分岐されるが、分岐部２０−１〜２０−４で分岐され監視情報が付加された電気信号は、４：１パラレルシリアル変換部＋ＯＣ−１２／ＳＴＭ−４電気・光変換部２２，２４によって４：１のパラレル−シリアル変換がなされた後、ＯＣ−１２／ＳＴＭ−４の光信号に変換され、ＯＣ−１２／ＳＴＭ−４光伝送路２８−１，２９−１に送出される。
【００４４】
一方、分岐部２０−５〜２０−８で分岐され監視情報が付加された電気信号は、ＯＣ−３／ＳＴＭ−１電気・光変換部２３−１〜２３−４、及び２５−１〜２５−４によりＯＣ−３／ＳＴＭ−１の光信号に変換され、ＯＣ−３／ＳＴＭ−１光伝送路２８−２〜２８−５，及び２９−２〜２９−５に送出される。
【００４５】
次に、図３において、ＯＣ−３／ＳＴＭ−１光伝送路２８−２〜２８−５，及び２９−２〜２９−５を通って光受信装置３７に受信されたＯＣ−３／ＳＴＭ−１光信号は、ＯＣ−３／ＳＴＭ−１光・電気変換部３１−１〜３１−４，及び３３−１〜３３−４によって電気信号に変換され、伝送品質監視部３４−１，３４−２に渡される。
【００４６】
一方、ＯＣ−１２／ＳＴＭ−４光伝送路２８−１，２９−１を通って光受信装置３７に受信されたＯＣ−１２／ＳＴＭ−４の光信号は、ＯＣ−１２／ＳＴＭ−４光・電気変換部＋１：４シリアルパラレル変換部３０，３２によって電気信号に変換された後、１：４のシリアル−パラレル変換がなされ、ＯＣ−３／ＳＴＭ−１光・電気変換部３１−１〜３１−４，及び３３−１〜３３−４により変換された電気信号と同じ信号形式とされ、伝送路品質監視部３４−１，３４−２に渡される。
【００４７】
ところで、ＯＣ−１２／ＳＴＭ−４光信号は元々ＯＣ−１２／ＳＴＭ−４光伝送路２８−１，２９−１を経由するものであるから、８チャンネル光受信カード３５−１で得られた電気信号の品質チェックの結果と、８チャンネル光受信カード３５−２で得られた電気信号の品質チェックの結果を基に、セレクタ部３６−１〜３６−４は４個とも同一の経路を選択を行う。すなわち、セレクタ部３６−１〜３６−４で選択される経路は、セレクタ部３６−１〜３６−４の全てがＡ、あるいはセレクタ部３６−１〜３６−４の全てがＢの何れかとなる。
【００４８】
一方、ＯＣ−３／ＳＴＭ−１光信号はＯＣ−３／ＳＴＭ−１光伝送路２８−２〜２８−５，及び２９−２〜２９−５を夫々経由するものであるから、他の４個のセレクタ部３６−５〜３６−８は夫々ＡとＢとの何れか品質の良い経路の信号を選択することになる。
【００４９】
また、図２、図３のいずれの場合においても、４：１パラレルシリアル変換部＋ＯＣ−１２／ＳＴＭ−４電気・光変換部２２，２４、及びＯＣ−１２／ＳＴＭ−４光・電気変換部＋１：４シリアルパラレル変換部３０，３２は、ＯＣ−１２／ＳＴＭ−４光伝送路２８−１，２９−１毎に独立して脱着可能な状態で設けられている。そして、ＯＣ−３／ＳＴＭ−１電気・光変換部２３−１〜２３〜４，２５−１〜２５−４、及びＯＣ−３／ＳＴＭ−１光・電気変換部３１−１〜３１−４，３３−１〜３３−４はＯＣ−３／ＳＴＭ−１光伝送路２８−２〜２８−５，及び２９−２〜２９−５毎に独立して脱着可能な状態で設けられている。
【００５０】
すなわち、４：１パラレルシリアル変換部＋ＯＣ−１２／ＳＴＭ−４電気・光変換部２２，２４、ＯＣ−３／ＳＴＭ−１電気・光変換部２３−１〜２３〜４，２５−１〜２５−４やＯＣ−１２／ＳＴＭ−４光・電気変換部＋１：４シリアルパラレル変換部３０，３２、ＯＣ−３／ＳＴＭ−１光・電気変換部３１−１〜３１−４，３３−１〜３３−４が８チャンネル光送信カード２６−１，２６−２や８チャンネル光受信カード３５−１，３５−２に対して物理的に脱着自在な構造となっている。
【００５１】
これにより、電気・光変換部あるいは光・電気変換部の何れかにおいて障害が発生したとしても、上記図１の場合において説明したように障害の発生していない他の電気・光変換部あるいは光・電気変換部における信号伝送を停止することなく３−２，…，３−ｎにおける信号伝送を停止することなく障害の発生した電気・光変換部あるいは光・電気変換部のみを交換することが可能となる。
【００５２】
更に、図２、図３において、４：１パラレルシリアル変換部＋ＯＣ−１２／ＳＴＭ−４電気・光変換部の形状を、ＯＣ−３／ＳＴＭ−１電気・光変換部の４個分と同一にすること、あるいはＯＣ−１２／ＳＴＭ−４光・電気変換部＋１：４シリアルラレル変換部の形状を、ＯＣ−３／ＳＴＭ−１光・電気変換部の４個分と同一にすることで、８チャンネル光送受信カード内に異なる伝送速度を有する光信号を処理する機能をフレキシブルに混在させることが可能となる。
【００５３】
なお、本発明が上記実施の形態に限定されず、本発明の技術的思想の範囲内において適宜変更され得ることは明らかである。例えば、上記実施の形態では、光信号の伝送速度として、ＯＣ−１２／ＳＴＭ−４とＯＣ−３／ＳＴＭ−１とが混在している場合について説明しているが、伝送速度はこれに限られることなく、ＳＤＨ／ＳＯＮＥＴで規格化された他の伝送速度においても広く応用可能であることは明らかである。
【００５４】
【発明の効果】
叙上の如く、本発明によれば、電気・光変換部、光・電気変換部を光伝送路毎に独立して脱着可能な構成としているため、多チャンネルカード内の何れかの光伝送路に該当する電気・光変換部、光・電気変換部で障害が発生した場合であっても、他の正常な光伝送路における動作に影響を与えることなく、障害を復旧することができると共に、二重化構成を維持することができるという効果がある。
【００５５】
また、本発明によれば、伝送速度の異なるＳＯＮＥＴ／ＳＤＨ信号インタフェースを多チャンネル光送受信カード内に混在することが可能になると共に、障害が発生したＳＯＮＥＴ／ＳＤＨ信号インターフェース毎の交換が可能になるという効果がある。
【図面の簡単な説明】
【図１】本発明の実施の形態における多チャンネル光送受信カードで構成された光伝送システムの構成を示すブロック図である。
【図２】本発明の他の実施の形態における異なる伝送速度を有する多チャンネル光送信カードで構成された光送信装置の構成を示すブロック図である。
【図３】本発明の他の実施の形態における異なる伝送速度を有する多チャンネル光受信カードで構成された光受信装置の構成を示すブロック図である。
【図４】従来の１チャンネル光送受信カードで構成された光伝送システムの構成を示すブロック図である。
【図５】従来の多チャンネル光送受信カードで構成された光伝送システムの構成を示すブロック図である。
【符号の説明】
１−１，…，１−ｎ，
２０−１，２０−２，２０−３，２０−４，
２０−５，２０−６，２０−７，２０−８  分岐部
２−１，２−２，
２１−１，２１−２  監視情報付加部
３−１，…，３−ｎ，
４−１，…，４−ｎ  電気・光変換部
５−１，５−２  多チャンネル光送信カード
６，２７  光送信装置
７−１，…，７−ｎ，
８−１，…，８−ｎ  光伝送路
９−１，…，９−ｎ，
１０−１，…，１０−ｎ  光・電気変換部
１１−１，１１−２，
３４−１，３４−２  伝送路品質監視部
１２−１，１２−２  多チャンネル光受信カード
１３−１，…，１３−ｎ，
３６−１，３６−２，３６−３，３６−４，
３６−５，３６−６，３６−７，３６−８  セレクタ部
１４−１，…，１４−ｎ，
１５−１，…，１５−ｎ  フレームバイト・パリティチ
ェック実行結果判定部
１６  制御部
１７，３７  光受信装置
１８−１，…，１８−ｎ，
１９−１，…，１９−ｎ  フレームバイト固定値・パリ
ティ演算結果付加部
２２，２４  ４：１パラレルシリアル変換部＋ＯＣ−１２／ＳＴＭ−４
電気・光変換部
２３−１，２３−２，２３−３，２３−４，
２５−１，２５−２，２５−３，２５−４  ＯＣ−３／ＳＴＭ−１電気・
光変換部
２６−１，２６−２  ８チャンネル光送信カード
２８−１，２９−１  ＯＣ−１２／ＳＴＭ−４光伝
送路
２８−２，２８−３，２８−４，２８−５，
２９−２，２９−３，２９−４，２９−５  ＯＣ−３／ＳＴＭ−１光伝送
路
３０，３２  ＯＣ−１２／ＳＴＭ−４光・電気変換部＋１：４シリアル
パラレル変換部
３１−１，３１−２，３１−３，３１−４，
３３−１，３３−２，３３−３，３３−４  ＯＣ−３／ＳＴＭ−１光・電
気変換部
３５−１，３５−２  ８チャンネル光受信カード
【図１】
0003597146.tif 000002
【図２】
0003597146.tif 000003
【図３】
0003597146.tif 000004
【図４】
0003597146.tif 000005
【図５】
0003597146.tif 000006